(57)【特許請求の範囲】
【請求項１】
クロック信号により標本化され、かつ量子化された水平同期信号を含む映像信号から、前記水平同期信号を前記クロック信号の時間分解能単位で抽出する同期抽出回路と、前記クロック信号を計数して前記水平同期信号に等しい周波数で位相が可変できる同期信号を発生する第１の同期信号発生回路と、前記同期抽出回路出力と前記第１の同期信号発生回路出力との位相を比較する第１の位相比較器と、前記第１の位相比較器出力から高周波成分を除去した信号で前記第１の同期信号発生回路の出力位相を制御するフィルタ回路と、前記クロック信号を計数して前記水平同期信号に等しい周波数で位相が可変できる同期信号を発生する第２の同期信号発生回路と、前記第１の同期信号発生回路出力と、前記第２の同期信号発生回路出力の位相を比較する第２の位相比較器と、前記第２の位相比較器の出力が一定値を越えると、前記第２の同期信号発生回路の出力の位相を前記第１の同期信号発生回路の出力の位相に合わせるべく、前記第２の同期信号発生回路を制御する制御回路とを具備した事を特徴とする同期検出装置。
【請求項２】
同期抽出回路は、クロック信号により標本化され、かつ量子化された水平同期信号を含む映像信号と一定値とを比較する事を特徴とする請求項１記載の同期検出装置。
【請求項３】
同期抽出回路は、クロック信号により標本化され、かつ量子化された水平同期信号を含む映像信号をローパスフィルタで高周波成分を除去した後に一定値と比較する事を特徴とする請求項１記載の同期検出装置。
【発明の詳細な説明】
【０００１】
【発明の属する技術分野】
本発明は、ビデオディスクプレーヤ等の映像再生装置で、映像出力に文字情報等を挿入して表示する時や、フィールドメモリー機能を実現する際に、映像信号の同期を検出する同期検出装置に関するものである。
【０００２】
【従来の技術】
近年、ビデオディスクプレーヤやビデオテープレコーダ等の、映像信号再生装置が家庭用として普及し、また高機能化してきている。特に、この様な映像信号再生装置において、再生機器の状態情報や再生位置情報等を使用者に分かりやすく知らせる為に、再生映像信号にそれらの情報を挿入して表示するいわゆるスーパーインポーズ機能や、フィールドメモリーに再生画面を格納するメモリー機能が広く使われている。これらの機能の実現には、再生映像信号の同期信号を検出する同期検出装置が必須である。
【０００３】
一方、近年これら映像信号再生装置において、映像信号のディジタル化が急であり、今後ディジタル化された映像信号から安定にその同期信号を検出する同期検出装置の実現が望まれている。
以下、図面を参照し、上述した従来の同期検出装置について文字情報挿入装置を例にとって説明する。
【０００４】
図６は、従来の同期検出装置を用いた文字情報挿入装置の構成図を示すものである。
図６において、１は映像信号入力端子で、コンポジットビデオ信号がこれより入力される。２はＡ／Ｄ変換器で、入力されたコンポジットビデオ信号を８ビットのディジタル信号に変換する。３は文字挿入回路で、Ａ／Ｄ変換器２の出力に文字タイミング発生回路９で発生する文字信号を挿入する。４はＤ／Ａ変換器で、ディジタル信号をアナログ信号に変換する。５は映像信号出力端子で、これより映像信号が外部へ出力される。６は垂直同期入力端子で、コンポジットビデオ信号の垂直同期タイミング信号がこれより入力される。７はスライスレベル発生回路で、一定のディジタルデータを出力する。８は比較器で、Ａ／Ｄ変換器出力２の出力とスライスベル発生回路７の出力値を比較し出力する。９は文字情報発生回路で、文字入力端子１１から入力される文字情報を蓄え、比較器８からの入力と垂直同期入力端子６からの入力により決定されるタイミングで文字情報を発生する。１０はクロック発振回路で、固定クロックを発生する。１１は文字入力端子で、これより表示すべき文字のデータが入力される。
【０００５】
図７は、従来の同期検出装置を用いた文字情報挿入装置の文字挿入回路の構成図を示すものである。
図７において１２は入力端子で、ここにディジタル化されたコンポッジトビデオ信号が入力される。１３はスイッチで、入力端子１２からの信号と文字レベル発生回路１５の出力とを制御端子１６からの入力によって切り替え、出力端子１４に出力する。１４は出力端子で、これよりディジタル化されたコンポジットビデオ信号が出力される。１５は文字レベル発生回路で、一定レベルのデータを発生する。１６は制御端子で、これよりスイッチ１３を制御する信号が入力される。
【０００６】
以上のように構成された従来の同期検出装置を用いた文字情報挿入装置について、以下にその動作について説明する。
図８は、従来の同期検出装置を用いた文字情報挿入装置のタイミング図である。図８において、（ａ）はディジタル化されたコンポジットビデオ信号で、（ｂ）はスライスレベル発生回路７の出力で、（ｃ）は比較器８の出力で、（ｄ）は文字パターンで、（ｅ）は文字発生回路９の出力で、（ｆ）は出力端子１４の出力である。
【０００７】
図６において、映像信号入力端子１にはコンポジットビデオ信号が入力される。クロック発振回路１０は映像信号入力端子１に入力されるコンポジットビデオ信号の色副搬送波の４倍の周波数のクロックを発振している。Ａ／Ｄ変換器２では入力されたコンポジットビデオ信号がクロック発振回路１０により発生されるクロックで標本化され、図８（ａ）に示す様にシンクチップレベルが”００ｈ”になる様に、かつ１２０ＩＲＥレベルが”ｆｆｈ”になる様に８ビットで量子化される。スライスレベル発生回路７は図８（ｂ）に示す様にシンクレベルの半分に当たる”２０ｈ”のデータを発生する。比較器８はＡ／Ｄ変換器２の出力とスライスレベル発生回路７の出力の大小比較を行い、Ａ／Ｄ変換器２の出力がスライスレベル発生回路７の出力より大きい時には”１”を、Ａ／Ｄ変換器２の出力がスライスレベル発生回路７の出力より小さい時には”０”を発生する。従って比較器８の出力は図８（ｃ）に示す様に入力映像信号の同期信号になる。
【０００８】
文字情報発生回路９は文字入力端子１１より入力される文字情報を蓄え、文字パターンとして、例えば”Ａ”の文字を表示する場合には図８（ｄ）に示す様なデータを発生し、各水平走査毎に文字挿入信号を発生し文字挿入回路３に入力する。発生タイミングは、垂直位置は垂直同期入力端子６から入力される垂直同期信号を起点とし、比較器８により得られる水平同期信号を計数して与えられ、水平位置は、比較器８により得られる水平同期信号を起点とし、クロック発振回路１０で発生されるクロックを計数して与えられる。例えば、文字”Ａ”の最下位水平走査に該当する文字挿入信号は図８（ｅ）の様になる。文字情報発生回路９の文字挿入信号出力は文字挿入回路３の、図７における制御端子１６に入力される。図７においてスイッチ１３は、制御端子１６の入力が”１”の時には文字レベル発生回路１５の出力を、制御端子１６の入力が”０”の時には入力端子１２に入力される信号を出力端子１４に出力する。文字レベル発生回路は、コンポジットビデオ信号の８０ＩＲＥに相当するデータ”ｃ０ｈ”を発生している。今、入力端子１２には図６におけるＡ／Ｄ変換器２の出力が入力されているので、図８（ｅ）に示す文字挿入信号が制御入力１５に入力されると、図８（ｆ）に示される様に文字挿入されたディジタルコンポジットビデオ信号が図７の出力端子１４に出力される。図７の出力端子１４は図６のＤ／Ａ変換器４に接続されているので、文字挿入された映像信号はＤ／Ａ変換器４でアナログ信号に変換され映像信号出力端子５より図示されない受像器に出力される。
【０００９】
【発明が解決しようとする課題】
この様な構成の同期検出装置では、入力コンポジットビデオ信号にわずかのノイズが混入したり、その直流成分が変動したりすれば、発生する水平同期信号は標本化時間単位でずれを生じ、それを起点として文字挿入をすれば、起点が各水平走査毎にずれてしまい、各水平走査毎でずれた文字になってしまうという問題点があった。
【００１０】
以下、この問題点を図９を用いて説明する。
図９は、従来の同期検出装置を用いた文字情報挿入装置の水平同期近辺のタイミングと文字表示を示す図である。図９において、（ｇ）は映像信号入力端子１に入力されるコンポジットビデオ信号の水平同期部分で、（ｈ）はスライスレベル発生回路７の出力、（ｉ）はクロック発振回路１０の出力で、（ｊ）は比較器８の出力で、（ｋ）は正しく挿入された文字で、（ｌ）は各水平走査毎でずれた文字である。
【００１１】
図９に示される様に、コンポジットビデオ信号の水平同期信号はクロック発振回路１０の出力で標本化された後にスライスレベル発生回路７の出力と比較され、水平同期信号となる。今、図９（ｇ）に示される入力コンポジットビデオ信号にわずかのノイズが混入したり、その直流成分が変動したりすれば図９（ｊ）に示すように発生する水平同期信号は標本化時間単位でずれを生じる。この様な同期信号で文字挿入信号を生成すると、前述した様に水平位置は、比較器８により得られる水平同期信号起点とし、クロック発振回路１０で発生されるクロックを計数して与えられるので、起点が各水平走査毎にクロック周期単位でずれてしまい、正しくは図９（ｋ）に示される様に文字が挿入されるはずが、図９（ｌ）に示される様に各水平走査毎でずれた文字になってしまう。
【００１２】
本発明は上記従来の問題点を解決するもので、入力コンポジットビデオ信号にわずかのノイズが混入したり、その直流成分が変動したりしても、発生する水平同期信号は標本化時間単位でずれを生じない同期検出装置を提供することを目的とする。
【００１３】
【課題を解決するための手段】
この目的を達成するために本発明の同期検出装置は、クロック信号により標本化され、かつ量子化された水平同期信号を含む映像信号から水平同期信号を抽出する同期抽出回路と、ＰＬＬ回路により同期抽出回路出力に位相が合う様動作する第１の同期信号発生回路と、クロックを計数して同期信号を発生する第２の同期信号発生回路と、第１の同期信号発生回路の出力と第２の同期信号発生回路の出力の位相差が一定値を越えると、第２の同期信号発生回路の出力の位相を第１の同期信号発生回路の出力の位相に合わせるべく、第２の同期信号発生回路を制御する制御回路とを具備した構成を有している。
【００１４】
この構成によって、第２の同期信号発生回路出力を映像入力の同期検出出力として用いる事により、入力コンポジットビデオ信号にわずかのノイズが混入したり、その直流成分が変動したりしても、発生する水平同期信号は標本化時間単位でずれを生じない同期検出装置を提供することができる。
【００１５】
【発明の実施の形態】
この目的を達成するために本発明の同期検出装置は、クロック信号により標本化され、かつ量子化された水平同期信号を含む映像信号から、水平同期信号をクロック信号の時間分解能単位で抽出する同期抽出回路と、クロック信号を計数して水平同期信号に等しい周波数で位相が可変できる同期信号を発生する第１の同期信号発生回路と、同期抽出回路出力と第１の同期信号発生回路出力との位相を比較する第１の位相比較器と、第１の位相比較器出力から高周波成分を除去した信号で第１の同期信号発生回路の出力位相を制御するフィルタ回路と、クロック信号を計数して水平同期信号に等しい周波数で位相が可変できる同期信号を発生する第２の同期信号発生回路と、第１の同期信号発生回路出力と、第２の同期信号発生回路出力の位相を比較する第２の位相比較器と、第２の位相比較器の出力が一定値を越えると、第２の同期信号発生回路の出力の位相を第１の同期信号発生回路の出力の位相に合わせるべく、第２の同期信号発生回路を制御する制御回路とを具備したものであり、第２の同期信号発生回路出力を映像入力の同期検出出力として用いる事により、入力コンポジットビデオ信号にわずかのノイズが混入したり、その直流成分が変動したりしても、発生する水平同期信号は標本化時間単位でずれを生じない同期検出装置を提供することができる。
【００１６】
以下、図面を参照し、本発明の実施の形態１について図１から図５を用いて説明する。
（実施の形態１）
図１は、本発明の同期検出装置を用いた文字情報挿入装置の構成図である。
図１において、１から１１は従来例と同様なものである。２１は第１の位相比較器で、比較器８の出力と可変位相発振器２３の出力との位相差を検出し出力する。２２はループフィルタで、第１の位相比較器２１の出力の高周波成分を除去し、可変位相発振器２３の位相制御入力へ出力する。２３は可変位相発振器で、クロック発振回路１０が発振するクロックを計数して映像信号入力端子１に入力されるコンポジットビデオ信号に含まれる水平同期信号の周波数に等しい周波数の同期信号を発生し、かつ、制御入力に対応して発生する信号の位相が可変できる。２４はリセット制御回路で、第２の位相比較器２６の出力を入力としその値があるしきい値を越えると可変位相発振器２３に出力の位相に文字同期発生回路２５の出力位相が合う様に文字同期発生回路２５をリセットする。２５は文字同期発生回路で、クロック発振回路１０が発振するクロックを計数して映像信号入力端子１に入力されるコンポジットビデオ信号に含まれる水平同期信号の周波数に等しい周波数の信号を発生し、かつ発生信号の位相をリセットできる。２６は第２の位相比較器で、可変位相発振器２３の出力位相と文字同期発生回路２５の出力位相を位相比較し、その値をリセット制御回路２４に入力する。
【００１７】
図２は、本発明の同期検出装置を用いた文字情報挿入装置の可変位相発振器の構成図である。
図２において、２７は第１のクロック入力端子で、これよりクロック発振回路１０で発生されるクロックが入力される。２８は第１のデコーダで、第１のカウンタ３０の値がある設定値になると”０”それ以外では”１”を出力する。２９は可変位相発振器出力端子で、これより可変位相発振器出力が出力される。３０は第１のカウンタで、第１のクロック入力端子２７に入力されるクロックを計数すると共に、第１のデコーダ２８の出力が”０”の時に減算器３２の出力をロードする。３１はオフセット入力端子で、ループフィルタ２２の出力がこれより入力される。３２は減算器で、プリセットレジスタ３３の値から、オフセット入力端子３１から入力される値を減算し第１のカウンタのロード値として出力する。３３はプリセットレジスタで特定の値が格納されている。
【００１８】
図３は、本発明の同期検出装置を用いた文字情報挿入装置の文字同期発生回路の構成図である。
図３において、３４は第２のクロック入力端子で、これよりクロック発振回路１０で発生されるクロックが入力される。３５は第２のデコーダで、第２のカウンタ３７の値がある設定値になると”０”それ以外では”１”を出力する。３６は文字同期発生回路出力端子で、これより文字同期発生回路出力が出力される。３７は第２のカウンタで、第２のクロック入力端子３４に入力されるクロックを計数すると共に、論理和回路３９の出力が”０”の時にその内容がリセットされる。３８はリセット入力端子で、リセット制御回路２４の出力がこれより入力される。３９は論理和回路で、第２のデコーダ回路３５の出力とリセット入力端子３８の負論理論理和を第２のカウンタ３７のリセット信号として出力する。
【００１９】
図７は、本発明の同期検出装置を用いた文字情報挿入装置の文字挿入回路３の構成図を示すもので、従来の技術で説明したものと同様である。
以上のように構成された本発明の同期検出装置を用いた文字情報挿入装置について、以下にその動作について説明する。
図４は、本発明の同期検出装置を用いた文字情報挿入装置のタイミング図である。図４において（ａ）から（ｆ）は従来例と同様である。（ｍ）は過渡状態における可変位相発振器２３の出力で、（ｎ）は定常状態における可変位相発振器２３の出力で、（ｏ）は過渡状態における文字同期発生回路２５の出力で、（ｐ）は定常状態における文字同期発生回路２５の出力である。
【００２０】
図１において、映像信号入力端子１にはコンポジットビデオ信号が入力される。クロック発振回路１０は映像信号入力端子１に入力されるコンポジットビデオ信号の色副搬送波の４倍の周波数のクロックを発振している。Ａ／Ｄ変換器２では入力されたコンポジットビデオ信号がクロック発振回路１０により発生されるクロックで標本化され、図４（ａ）に示す様にシンクチップレベルが”００ｈ”で、１２０ＩＲＥレベルが”ｆｆｈ”になる様に８ビットで量子化される。スライスレベル発生回路７は図４（ｂ）に示す様にシンクレベルの半分に当たる”２０ｈ”のデータを発生する。比較器８はＡ／Ｄ変換器２の出力とスライスレベル発生回路７の出力の大小比較を行い、Ａ／Ｄ変換器２の出力がスライスレベル発生回路７の出力より大きい時には”１”を、Ａ／Ｄ変換器２の出力がスライスレベル発生回路７の出力より小さい時には”０”を発生する。従って比較器８の出力は図４（ｃ）に示す様に入力されるコンポジットビデオ信号の同期信号になる。
【００２１】
可変位相発振器２３は、図２に示される構成で、第１のカウンタ３０は第１のクロック入力端子２７から入力されるクロック発振回路１０で発生されるクロックを計数する。第１のデコーダ２８は、第１のカウンタ３０の値が設定値になるまでは”１”を可変位相発振器出力端子２９に出力し、設定値になると”０”を可変位相発振器出力端子２９に出力すると共に減算器３２の出力を第１のカウンタ３０にロードする。プリセットレジスタ３３には予め特定の値が格納されている。オフセット入力端子３１から入力されるオフセット値が”０”の時、プリセットレジスタ３３の値が第１のカウンタ３０の初期値となり、第１のカウンタ３０は、第１のデコーダ２８の設定値まで計数し、再度プリセット動作で初期値に戻るという動作を繰り返す。今、第１のカウンタ３０が計数するクロックはクロック発振回路１０の出力であり、これは映像信号入力端子１に入力されるコンポジットビデオ信号の色副搬送波の４倍の周波数のクロックを発振している。ＮＴＳＣ方式コンポジットビデオ信号では、色副搬送波周波数と水平同期周波数は２／４５５の関係にあるので、第１のデコーダ２９の設定値とプリセットレジスタ３３の設定値の差を９１０にすれば、第１のデコーダ２８の出力の周期は映像信号入力端子１に入力されるコンポジットビデオ信号の水平同期信号の周期と等しくなって可変位相発振器出力端子２９より出力される。
【００２２】
オフセット入力端子３１よりオフセット値が入力されると、減算器３２は、プリセットレジスタ３３の設定値からオフセット値を引いて、第１のカウンタ３０のプリセット値とするので、オフセット分だけ、可変位相発振器出力端子２９出力の位相が変化する。
図１の第１の位相比較器２１は、比較器８の出力と可変位相発振器２３の出力の位相を比較し、その差をループフィルタ２２に出力する。ループフィルタ２２は位相比較器２１の出力の高周波成分を除去し、可変位相発振器２３のオフセット入力端子３１へ入力する。可変位相発振器２３と、第１の位相比較器２１と、ループフィルタ２２はＰＬＬを構成する。図４（ｍ）は過渡状態における可変位相発振器２３の出力を示し、図４（ｎ）は定常状態における可変位相発振器２３の出力を示す。このように過渡状態では、映像信号入力端子１に入力されるコンポジットビデオ信号の水平同期信号と可変位相発振器２３の出力の位相は合っていないが、定常状態ではＰＬＬによって、映像信号入力端子１に入力されるコンポジットビデオ信号の水平同期信号と可変位相発振器２３の出力の位相が合う。
【００２３】
文字同期発生回路２５は、図３に示される構成で、第２のカウンタ３７は第２のクロック入力端子３４から入力される、クロック発振回路１０で発生されるクロックを計数する。第２のデコーダ３５は、第２のカウンタ３７の値がある設定値になるまでは”１”を文字同期発生回路出力端子３６に出力し、設定値になると”０”を文字同期発生回路出力端子３６に出力すると共に論理和回路３９を通じ第２のカウンタ３７をリセットする。このリセット動作で第２のカウンタ３７は初期値に戻され、第２のデコーダ２５の設定値まで、クロックを計数し、再度リセット動作で初期値に戻るという動作を繰り返す。今、第１のカウンタ３０が計数するクロックはクロック発振回路１０の出力であり、これは映像信号入力端子１に入力されるコンポジットビデオ信号の色副搬送波の４倍の周波数のクロックを発振しているので、第２のデコーダ３５の設定値を９１０にすれば、第２のデコーダ３５の出力の周期は映像信号入力端子１に入力されるコンポジットビデオ信号の水平同期信号の周期と等しくなって文字同期発生回路出力端子３６より出力される。リセット入力端子３８よりリセット信号が入力されると、論理和回路３９を通じて第２のカウンタ３７がリセットされ、以後は９１０クロック毎に”０”を出力する。
【００２４】
図１の第２の位相比較器２６は文字同期発生回路２５の出力と、可変位相発振器２３の出力の位相を比較し、その位相差をクロック発振回路１０の発生するクロック単位で求め、リセット制御回路２４に出力する。リセット制御回路２４は、第２の位相比較器２６の出力が、文字同期発生回路２５の出力と、可変位相発振器２３の出力の位相差が２クロックに相当する量より大きい時に、可変位相発振器２３の出力位相で、文字同期発生回路２５をリセットする。
【００２５】
図４（ｏ）は過渡状態における文字同期発生回路２５の出力を示し、図４（ｐ）は定常状態における文字同期発生回路２５の出力を示す。このように、可変位相発振器２３と、第１の位相比較器２１と、ループフィルタ２２出構成されるＰＬＬが過渡状態の時、映像信号入力端子１に入力されるコンポジットビデオ信号の水平同期信号と文字同期発生回路２５のの出力の位相は合っていないが、ＰＬＬが等定常状態ではリセット動作によって、映像信号入力端子１に入力されるコンポジットビデオ信号の水平同期信号と文字同期発生回路２５の出力の位相がほぼ合う。この状態において可変位相発振器２３の出力位相が変動してもその範囲が２クロック分以内であればリセット制御回路２４が動作しないので、文字同期発生回路２５の出力の位相は変化しない。
【００２６】
文字情報発生回路９は文字入力端子１１より入力される文字情報を蓄え、文字パターンとして、例えば”Ａ”の文字を表示する場合には図４（ｄ）に示す様なデータを発生し、各水平走査毎に文字挿入信号を発生し文字挿入回路３に入力する。発生タイミングは、垂直位置は垂直同期入力端子６から入力される垂直同期信号を起点とし、文字同期発生回路２５により得られる水平同期信号を計数して与えられ、水平位置は、文字同期発生回路２５により得られる水平同期信号起点とし、クロック発振回路１０で発生されるクロックを計数して与えられる。例えば、文字”Ａ”の最下位水平走査に該当する文字挿入信号は図４（ｅ）の様になる。
【００２７】
文字情報発生回路９の文字挿入信号出力は文字挿入回路３の、図７における制御入力１５に入力される。図７においてスイッチ１３は、制御端子１６の入力が”１”の時には文字レベル発生回路１５の出力を、制御端子１６の入力が”０”の時には入力端子１２に入力される信号を出力端子１４に出力する。文字レベル発生回路は、コンポジットビデオ信号の８０ＩＲＥに相当するデータ”ｃ０ｈ”を発生している。今、入力端子１２には図１におけるＡ／Ｄ変換器２の出力が入力されているので、図４（ｅ）に示す文字挿入信号が制御入力１５に入力されると、図４（ｆ）に示される様に文字挿入されたディジタル映像信号が図７の出力端子１４に出力される。図７の出力端子１４は図１のＤ／Ａ変換器４に接続されているので、文字挿入された映像信号はＤ／Ａ変換器４でアナログ信号に変換され映像信号出力端子５より図示されない受像器に出力される。
【００２８】
図５は、本発明の同期検出装置を用いた文字情報挿入装置の水平同期近辺のタイミングと文字表示を示す図である。図５において（ｇ）から（ｋ）は図９で示したものと同様のものである。（ｑ）は可変位相発振器２３の出力で、（ｒ）は文字同期発生回路２５のである。
図５に示される様に、コンポジットビデオ信号の水平同期信号はクロック発振回路１０の出力で標本化された後にスライスレベル発生回路７の出力と比較され、水平同期信号となる。今図５（ｇ）にしめされる入力コンポジットビデオ信号にわずかのノイズが混入したり、その直流成分が変動したりすれば、図５（ｊ）に示すように発生する水平同期信号は標本化時間単位でずれを生じる。このようなずれに対し、前述した可変位相発振器２３と、第１の位相比較器２１と、ループフィルタ２２によるＰＬＬによって、高振幅のずれは除去され、よって可変位相発振器２３の出力は図５（ｑ）に示されるように、僅かな物に限定される。更に、リセット制御回路２４は、第２の位相比較器２６の出力が、文字同期発生回路２５の出力と、可変位相発振器２３の出力の位相差が２クロックに相当する量より大きい時に、可変位相発振器２３の出力位相で、文字同期発生回路２５をリセットするので、そのリセット条件以内の可変位相発振器２３の位相ずれに対してはリセット動作が行われず、図５（ｒ）に示す様に文字同時発生回路２５の出力のずれは生じない。
【００２９】
この様な同期信号で文字挿入信号を生成すると、前述した様に水平位置は、文字同期発生回路２５により得られる水平同期信号起点とし、クロック発振回路１０で発生されるクロックを計数して与えられるので、たとえ比較器８の出力起点が各水平走査毎にずれてしまっても、図５（ｋ）に示される様に文字が各水平走査毎でずれた文字になる事はない。
【００３０】
以上の様に本発明の実施例によれば、映像信号入力端子と、Ａ／Ｄ変換器と、文字挿入回路と、Ｄ／Ａ変換器と、垂直同期入力端子と、スライスレベル発生回路と、比較器と、文字情報発生回路と、クロック発振回路と、文字入力端子と、第１の位相比較器と、ループフィルタと、可変位相発振器と、リセット制御回路と、文字同期発生回路と、第２の位相比較器とを備え、文字同期発生回路出力をコンポジットビデオ入力の同期検出出力として用いる事により、入力コンポジットビデオ信号にわずかのノイズが混入したり、その直流成分が変動したりしても、発生する水平同期信号は標本化時間単位でずれを生じない同期検出装置を提供することができる。
【００３１】
なお、本発明の実施例では、文字情報挿入装置に限って述べたが、水平同期信号を必要とする装置、例えばフィールドメモリー装置等に関しても本発明は応用できるものである。
また、本発明の実施例では、Ａ／Ｄ変換器出力をそのまま比較器で比較して同期信号を求めているが、Ａ／Ｄ変換器出力の後にローパスフィルタでノイズ成分を除去した後に比較器で同期信号を求める様な構成にしても、本発明の効果は得られるものである。
【００３２】
【発明の効果】
以上のように本発明は、クロック信号により標本化され、かつ量子化された水平同期信号を含む映像信号から、水平同期信号をクロック信号の時間分解能単位で抽出する同期抽出回路と、クロック信号を計数して水平同期信号に等しい周波数で位相が可変できる同期信号を発生する第１の同期信号発生回路と、同期抽出回路出力と第１の同期信号発生回路出力との位相を比較する第１の位相比較器と、第１の位相比較器出力から高周波成分を除去した信号で第１の同期信号発生回路の出力位相を制御するフィルタ回路と、クロック信号を計数して水平同期信号に等しい周波数で位相が可変できる同期信号を発生する第２の同期信号発生回路と、第１の同期信号発生回路出力と、第２の同期信号発生回路出力の位相を比較する第２の位相比較器と、第２の位相比較器の出力が一定値を越えると、第２の同期信号発生回路の出力の位相を第１の同期信号発生回路の出力の位相に合わせるべく、第２の同期信号発生回路を制御する制御回路とを具備したものであり、第２の同期信号発生回路出力を映像入力の同期検出出力として用いる事により、入力映像信号にわずかのノイズが混入したり、その直流成分が変動したりしても、発生する水平同期信号は標本化時間単位でずれを生じない同期検出装置を提供することができる。
【図面の簡単な説明】
【図１】本発明の同期検出装置を用いた文字情報挿入装置の構成図
【図２】同、文字情報挿入装置の可変位相発振器の構成図
【図３】同、文字情報挿入装置の文字同期発生回路の構成図
【図４】同、文字情報挿入装置のタイミング図
【図５】同、文字情報挿入装置の水平同期近辺のタイミングと文字表示の説明図
【図６】従来の同期検出装置を用いた文字情報挿入装置の構成図
【図７】文字情報挿入装置の文字挿入回路の構成図
【図８】従来の同期検出装置を用いた文字情報挿入装置のタイミング図
【図９】同、文字情報挿入装置の水平同期近辺のタイミングと文字表示の説明図
【符号の説明】
１    映像信号入力端子
２    Ａ／Ｄ変換器
３    文字挿入回路
４    Ｄ／Ａ変換器
５    映像信号出力端子
６    垂直同期入力端子
７    スライスレベル発生回路
８    比較器
９    文字情報発生回路
１０  クロック発振回路
１１  文字入力端子
１２  入力端子
１３  スイッチ
１４  出力端子
１５  文字レベル発生回路
１６  制御端子
２１  第１の位相比較器
２２  ループフィルタ
２３  可変位相発振器
２４  リセット制御回路
２５  文字同期発生回路
２６  第２の位相比較器
２７  第１のクロック入力端子
２８  第１のデコーダ
２９  可変位相発振器出力端子
３０  第１のカウンタ
３１  オフセット入力端子
３２  減算器
３３  プリセットレジスタ
３４  第２のクロック入力端子
３５  第２のデコーダ
３６  文字同期発生回路出力端子
３７  第２のカウンタ
３８  リセット入力端子
３９  論理和回路
【図１】
0003541569.tif 000002
【図２】
0003541569.tif 000003
【図３】
0003541569.tif 000004
【図４】
0003541569.tif 000005
【図５】
0003541569.tif 000006
【図６】
0003541569.tif 000007
【図７】
0003541569.tif 000008
【図８】
0003541569.tif 000009
【図９】
0003541569.tif 000010